(57)【要約】【課題】反応性が高い溶融塩中に含まれる１，１０−フェナントロリンの量を簡便な方法で精度良く測定するための分析方法を提供すること。【解決手段】１，１０−フェナントロリンを含有する溶融塩試料を水で１０倍以上の体積に希釈する希釈工程と、２価の鉄イオンを含む発色剤を前記希釈後の液に添加する添加工程と、前記発色剤が添加された液を６０℃以上の温度で１０時間以上加熱する加熱工程と、吸光光度測定により前記加熱工程後の液に含まれる１，１０−フェナントロリンの量を定量する定量工程と、を有する、溶融塩中の１，１０−フェナントロリンの定量方法。【選択図】  なし【特許請求の範囲】
【請求項１】
１，１０−フェナントロリンを含有する溶融塩試料を水で１０倍以上の体積に希釈する希釈工程と、
２価の鉄イオンを含む発色剤を前記希釈後の液に添加する添加工程と、
前記発色剤が添加された液を６０℃以上の温度で１０時間以上加熱する加熱工程と、
吸光光度測定により前記加熱工程後の液に含まれる１，１０−フェナントロリンの量を定量する定量工程と、
を有する、溶融塩中の１，１０−フェナントロリンの定量方法。
【請求項２】
前記定量工程を標準添加法で行うことを特徴とする、請求項１に記載の溶融塩中の１，１０−フェナントロリンの定量方法。
【請求項３】
前記添加工程において、添加する発色剤量を、１，１０−フェナントロリンの予想含有量から見積もった鉄の必要量（１，１０−フェナントロリンの予想含有量の１／３モル）に対してモル比で１倍以上７倍以下とすることを特徴とする、請求項１又は２に記載の溶融塩中の１，１０−フェナントロリンの定量方法。
【請求項４】
前記希釈工程と前記添加工程との間に、不溶解物をフィルタ濾過する濾過工程を有する、請求項１〜３のいずれか１項に記載の溶融塩中の１，１０−フェナントロリンの定量方法。
【請求項５】
前記発色剤が硫酸アンモニウム鉄（ＩＩ）である、請求項１〜４のいずれか１項に記載の溶融塩中の１，１０−フェナントロリンの定量方法。
【請求項６】
前記溶融塩はイミダゾリウム塩と塩化アルミニウムとの混合塩である、請求項１〜５のいずれか１項に記載の溶融塩中の１，１０−フェナントロリンの定量方法。
【発明の詳細な説明】
【技術分野】
【０００１】
本発明は１，１０−フェナントロリンの定量方法、特に溶融塩に含まれる１，１０−フェナントロリンの定量方法に関する。
【背景技術】
【０００２】
アルミニウムは導電性、耐腐食性に優れており、また軽量な材料であるから種々の用途に使用されている。例えばリチウムイオン電池には、アルミニウム箔の表面にコバルト酸リチウム等の活物質を塗布したものが正極材料として使用されている。またアルミニウム箔に代えて、アルミニウムの多孔体を正極材料に使用することで電池の大容量化を行うことも検討されている。また、鉄などの金属製品の寿命を伸ばすため、電気化学的に卑であるアルミニウムを金属表面にめっきして耐食性を向上することも検討されている。
【０００３】
アルミニウムのめっきは、アルミニウムの酸素に対する親和力が大きく電位が水素より低いために水溶液系のめっき浴で電気めっきを行うことが困難である。このため、従来よりアルミニウムの電気めっきは非水溶液系のめっき浴で検討が行われている。例えば、金属の表面の酸化防止などの目的でアルミニウムをめっきする技術として、特許文献１にはオニウムハロゲン化物とアルミニウムハロゲン化物とを混合溶融した低融点組成物（溶融塩）をめっき浴として用い、陰極にアルミニウムを析出させることを特徴とする電気アルミニウムめっき方法が開示されている。
【０００４】
めっき表面の平滑性を上げるため、めっき浴中には種々の添加剤が添加される。特許文献２には、溶融塩メッキ浴中に光沢剤を含有するアルミニウムめっき浴が開示されている。光沢剤としては脂肪族アルデヒド、芳香族アルデヒド、含窒素不飽和複素環化合物等が例示されており、光沢剤のめっき浴中濃度は０．００１〜０．１モル／ｌの範囲が好ましいと記載されている。
【先行技術文献】
【特許文献】
【０００５】
【特許文献１】特許第３２０２０７２号公報
【特許文献２】特開２００９−１７３９７７号公報
【発明の概要】
【発明が解決しようとする課題】
【０００６】
本発明者らは溶融塩浴中でのアルミニウムめっき条件を検討した結果、溶融塩中に１，１０−フェナントロリンを一定の濃度で含有させることでめっき表面の平滑性が向上することを見いだした。表面の平滑性を保ち、良好で均一な品質のアルミニウムめっき膜を得るためには溶融塩めっき浴中の１，１０−フェナントロリン量を一定の範囲に保つ必要があり、溶融塩中の１，１０−フェナントロリン量を簡便な方法で定量することが求められている。
【０００７】
しかし溶融塩は反応性が高く、特に水と接触すると激しく反応するのでそのまま一般的な分析機器を用いて種々の特性を測定することは困難である。また溶融塩浴中には無機物である溶融塩と有機物である添加剤など種々の材料が存在しており、不純物の影響により正確な定量分析を行いにくい。
【０００８】
そこで本発明は、反応性が高い溶融塩中に含まれる１，１０−フェナントロリンの量を簡便な方法で精度良く測定するための分析方法を提供することを課題とする。
【課題を解決するための手段】
【０００９】
本発明は、１，１０−フェナントロリンを含有する溶融塩試料を水で１０倍以上の体積に希釈する希釈工程と、２価の鉄イオンを含む発色剤を前記希釈後の液に添加する添加工程と、前記発色剤が添加された液を６０℃以上の温度で１０時間以上加熱する加熱工程と、
吸光光度測定により前記加熱工程後の液に含まれる１，１０−フェナントロリンの量を定量する定量工程とを有する、溶融塩中の１，１０−フェナントロリンの定量方法である。
【００１０】
１，１０−フェナントロリンは鉄イオンと錯体を形成して呈色反応を示す。したがって単純に水中に含まれている１，１０−フェナントロリン量を定量するのであれば分析対象となる水溶液に鉄イオンを含む発色剤を添加して呈色反応を行った後、吸光光度分析等の方法で定量分析が可能であると予想される。しかし溶融塩と１，１０−フェナントロリンとが共存した試料ではこのような方法は採用できない。
【００１１】
本発明者らは、溶融塩試料を１０倍以上の体積に希釈すれば溶融塩の反応性が抑えられ、その後の操作を容易に行えることを見いだした。また１０倍以上の体積に希釈すれば試料溶液中に溶融塩が共存していても鉄と１，１０−フェナントロリンとの呈色反応（錯体形成反応）が可能となることを見いだした。
【００１２】
しかし水で希釈した溶融塩試料は分析対象である有機物の１，１０−フェナントロリンと無機物である溶融塩とが共存した状態であるので溶融塩成分によって鉄と１，１０−フェナントロリンとの錯体形成反応が阻害されて反応がゆっくりとしか進行せず、吸光度が安定するまでに１０日以上の時間がかかる。そこで液の温度を６０℃以上として１０時間以上加熱することで、溶融塩による影響を受けず反応を充分に進行させて吸光度を安定化できることを見いだした。
【００１３】
定量工程は、標準添加法で行うことが好ましい（請求項２）。標準添加法で定量すると溶融塩等の他の共存物質の影響が少なくなり、精度良く１，１０−フェナントロリン量を定量できる。
【００１４】
前記添加工程において、添加する発色剤量を、１，１０−フェナントロリンの予想含有量から見積もった鉄の必要量（１，１０−フェナントロリンの予想含有量の１／３モル）に対してモル比で１倍以上７倍以下とすることが好ましい（請求項３）。１，１０−フェナントロリンと鉄とはモル比３：１で錯体を形成する。従って鉄の必要量はモル比で１，１０−フェナントロリンの１／３であるが、鉄を過剰量とすることで錯体形成の反応速度を上げることができるためモル比で必要量（１，１０−フェナントロリンの１／３）倍以上とすることが好ましい。また発色剤量が多すぎるとコストが高くなるため上限はモル比で必要量の７倍程度である。
【００１５】
前記希釈工程と前記添加工程との間に、不溶解物をフィルタ濾過する濾過工程を有すると更に好ましい（請求項４）。ウレタン等の有機材料の表面にアルミニウムをめっきするためのめっき浴が分析対象の溶融塩試料である場合、水で希釈した液には有機材料に由来する不純物が不溶解物として存在することがある。このような不溶解物をフィルタ濾過して除去しておくと、発色剤と１，１０−フェナントロリンとの反応が良好に進行すると共に、反応後の吸光度を精度良く測定することができる。
【００１６】
発色剤は硫酸アンモニウム鉄（ＩＩ）であると好ましい（請求項５）。発色剤としては２価の鉄イオンを含む任意の塩を使用可能であるが、硫酸アンモニウム鉄（ＩＩ）が取扱いのしやすさ、コストの面で好ましい。また溶融塩は窒素を含有した溶融塩が好ましく、中でもイミダゾリウム塩と塩化アルミニウムとの混合塩が好ましく用いられる（請求項６）。
【発明の効果】
【００１７】
本発明によれば、溶融塩試料中に含まれる１，１０−フェナントロリンの量を、不純物の影響を低減して簡便な方法で精度良く測定することができる。
【図面の簡単な説明】
【００１８】
【図１】標準添加法での定量方法を説明するグラフである。
【図２】反応時間と吸光光度との関係を示すグラフである。
【発明を実施するための形態】
【００１９】
以下、本発明の実施の形態をウレタン発泡体等の樹脂多孔体表面にアルミニウムをめっきするための溶融塩めっき浴を分析対象として説明する。なお本発明はこれに限定されるものではなく、特許請求の範囲によって示され、特許請求の範囲と均等の意味および範囲内でのすべての変更が含まれることが意図される。
【００２０】
溶融塩としては塩化アルミニウムと有機塩との混合塩（共晶塩）を使用する。比較的低温で溶融する有機溶融塩浴を使用すると基材である樹脂多孔体を分解することなくめっきができ好ましい。有機塩としてはイミダゾリウム塩、ピリジニウム塩等が使用できる。なかでも１−エチル−３−メチルイミダゾリウムクロライド（ＥＭＩＣ）、ブチルピリジニウムクロライド（ＢＰＣ）が好ましく使用できる。この溶融塩中に１，１０−フェナントロリンを添加する。１，１０−フェナントロリンの添加量は特に制限されないが、０．２５ｇ／ｌ以上７ｇ／ｌ以下とすることが好ましい。
【００２１】
上記の溶融塩試料を採取し、水で１０倍以上の体積に希釈する。溶融塩と水とが接触すると反応して発熱するため、冷却しながら水と溶融塩試料とを混合すると良い。また溶融塩試料中に水を添加するのでなく、ピペット等を用いて溶融塩試料を少しずつ水の中に滴下すると反応時の発熱を抑えることができて好ましい。溶融塩試料の採取量及び希釈する水の量は、吸光光度測定に必要なサンプル量を考慮して適宜決定する。
【００２２】
水で希釈した溶融塩試料をフィルタ濾過して不溶解物を除去する。水系のフィルタを使用すると好ましい。フィルタの孔径は不溶解物の粒径に応じて適宜選択する。このフィルタ濾過工程は省略しても良い。
【００２３】
２価の鉄イオンを含む発色剤を希釈後の溶融塩試料に添加する。２価の鉄イオンを含む発色剤としては、硫酸アンモニウム鉄（ＩＩ）、硫酸第１鉄、塩化第１鉄、臭化第１鉄等を使用できる。これらの化合物は無水物又は水和物として使用する。
【００２４】
混合した液を６０℃以上の温度で１０時間以上加熱する。温度が高いほど鉄と１，１０−フェナントロリンとの反応は進行しやすくなるが、温度が高すぎると加熱時に水が蒸発して濃度が変化するため、加熱温度は１００℃未満、好ましくは９０℃未満とする。また加熱時の水の蒸発を防ぐため、混合液を密閉容器に入れて加熱することが好ましい。この加熱工程において鉄と１，１０−フェナントロリンとが反応して錯体を形成し、着色する。
【００２５】
加熱後の液を冷却し、吸光光度を測定して１，１０−フェナントロリン量を定量する。吸光光度測定の前にフィルタ濾過して加熱工程で生じた不溶解物を除去すると、吸光光度測定が精度良く行えて好ましい。１，１０−フェナントロリン濃度を適宜変更して作製した試料の吸光光度測定によりあらかじめ作成した検量線に基づいて１，１０−フェナントロリン量を定量できる。また標準添加法を用いて定量すると、共存する不純物の影響を低減することができる。以下標準添加法による定量方法の一例について説明する。
【００２６】
標準添加法では、分析対象となる試料溶液に標準試料（１，１０−フェナントロリン）を０（添加しない）、１ｐｐｍ、２ｐｐｍ、３ｐｐｍ、４ｐｐｍ添加した試料を作製する。それぞれの試料について希釈工程、添加工程、加熱工程を行って吸光光度測定サンプルを作製し、それぞれの吸光光度を測定して、添加濃度と吸光光度との関係をグラフにプロットして検量線を作成する。図１は標準添加法での定量方法を説明するためのグラフであり、横軸は添加濃度（ｐｐｍ）、縦軸は吸光光度である。この検量線上で信号強度が０になる濃度の絶対値（図１では１ｐｐｍ）が測定結果とする濃度である。
【実施例】
【００２７】
次に、本発明を実施例に基づいてさらに詳細に説明する。実施例は本発明の範囲を限定するものではない。
【００２８】
（実施例１）
塩化アルミニウム（ＡｌＣｌ３）とエチルメチルイミダゾリウムクロライド（ＥＭＩＣ）とを６７ｍｏｌ％：３３ｍｏｌ％の割合で混合した溶融塩に、１，１０−フェナントロリンを５ｇ／ｌの濃度となるように添加して溶融塩試料とした。容量５０ｍｌのバイアル瓶に蒸留水１５ｍｌを入れ、水冷しながら上記の溶融塩試料１ｍｌを１滴ずつ滴下して溶融塩の水希釈液を作製した。この工程により１ｍｌの溶融塩試料が１５ｍｌの水中に存在していると計算している。希釈後のサンプルを孔径０．４５μｍの水系ディスクフィルタで濾過して不溶解物を除去した後、容量５０ｍｌのメスフラスコに入れた。
【００２９】
硫酸アンモニウム鉄（ＩＩ）六水和物を０．０５０ｇ秤量して上記のメスフラスコ中に添加し、攪拌して溶解した。さらに水を添加して体積を５０ｍｌに調整した後、液を２５ｍｌ採取して密閉可能なバイアル瓶に入れ、ネジシールで封印した後６０℃恒温槽内で加熱処理した。１時間、２時間、３時間、５時間、７時間、１５時間、２５時間経過後の液を採取して吸光光度を測定した。
【００３０】
１，１０−フェナントロリン濃度を０ｇ／ｌ〜０．６ｇ／ｌの範囲とした水溶液に過剰量の硫酸アンモニウム鉄（ＩＩ）六水和物を加えて反応させた液の吸光光度を測定して検量線を作成した。この検量線から上記サンプルの理論的な吸光光度を算出した。
【００３１】
（比較例１）
実施例１と同様に溶融塩試料を水で希釈して硫酸アンモニウム鉄（ＩＩ）六水和物と反応させて体積を５０ｍｌに調整した液をバイアル瓶に入れて室温で放置し、１時間、２時間、３時間、５時間、７時間、１５時間、２５時間経過後の液を採取して吸光光度を測定した。
【００３２】
実施例１及び比較例１の測定結果について、経過時間を横軸、吸光光度を縦軸としたグラフを図２に示す。検量線から算出したサンプルの理論的な吸光光度は１．４である。６０℃で加熱処理した実施例１では、７時間経過後には吸光光度は理論値に近づいており、１０時間経過後以降は吸光光度が安定している。これに対し、室温で反応させた比較例１では２５時間経過後でも吸光光度は理論値には達していない。更に経過時間を長くして１日後〜１０日後までの吸光光度の経時変化を測定したところ、１０日後になってようやく吸光光度が理論値１．４近傍で安定化することがわかった。
【００３３】
（実施例２）
溶融塩中に１，１０−フェナントロリンを５ｇ／ｌの濃度で加え、さらに不純物としてウレタンを２ｇ／ｌ溶解した溶融塩試料を用いて実施例１と同様に吸光光度測定サンプルを作製した。同時に、溶融塩試料中に５ｇ／ｌ、１０ｇ／ｌ、１５ｇ／ｌの１，１０−フェナントロリンをさらに添加した標準サンプルを作成して同様の操作を行って吸光光度を測定した。１，１０−フェナントロリン添加量と吸光光度とから検量線を作成し、検量線上で信号強度が０になる濃度の絶対値から溶融塩中の１，１０−フェナントロリン濃度を算出したところ、理論値と一致することを確認した。
【図１】
2013142562.tif 000002
【図２】
2013142562.tif 000003